(57)【要約】【課題】元々備わるバッテリと積み増しするバッテリとで仕様又は電池状態に大きな差があっても、両方のバッテリの電力を有効に利用できる電動車両を提供する。【解決手段】この電動車両（１）は、走行用の電力を供給するバッテリ（１３）と、走行用の電力を供給する積み増しバッテリ（２３）を着脱可能に搭載可能な搭載部（２０）と、搭載部に搭載された積み増しバッテリと前記バッテリとを直列接続と並列接続とに切り替えるスイッチ部（３０）と、バッテリの状態情報と搭載部に搭載された積み増しバッテリの状態情報とに基づいてスイッチ部を制御するスイッチ制御部（４０）とを備える。【選択図】図１
2020043718.tif 000002
【特許請求の範囲】
【請求項１】
走行用の電力を供給するバッテリと、
走行用の電力を供給する積み増しバッテリを着脱可能に搭載可能な搭載部と、
前記搭載部に搭載された積み増しバッテリと前記バッテリとを直列接続と並列接続とに切り替えるスイッチ部と、
前記バッテリの状態情報と前記搭載部に搭載された積み増しバッテリの状態情報とに基づいて前記スイッチ部を制御するスイッチ制御部と、
を備えることを特徴とする電動車両。
【請求項２】
前記スイッチ制御部は、
前記バッテリの端子間電圧と前記搭載部に搭載された積み増しバッテリの端子間電圧との差電圧の値を取得し、前記バッテリの状態情報と、前記搭載部に搭載された積み増しバッテリの状態情報と、前記差電圧とに基づいて前記スイッチ部を制御することを特徴とする請求項１記載の電動車両。
【請求項３】
前記スイッチ制御部は、
前記バッテリと前記搭載部に搭載された積み増しバッテリとが並列接続されたときに前記バッテリ又は前記積み増しバッテリに流れる電流が制限電流を超えない前記差電圧の閾値を計算する閾値計算部を含み、
前記差電圧と前記閾値との比較に基づいて前記スイッチ部を並列接続に切り替えることを特徴とする請求項２に記載の電動車両。
【請求項４】
前記バッテリの電流又は前記搭載部に搭載された積み増しバッテリの電流を流す部品の温度を検出する温度センサを更に備え、
前記スイッチ制御部は、前記バッテリの状態情報と、前記搭載部に搭載された積み増しバッテリの状態情報と、前記差電圧と、前記部品の温度とに基づいて前記スイッチ部を制御することを特徴とする請求項２又は請求項３に記載の電動車両。
【請求項５】
前記スイッチ制御部は、
前記部品の温度に基づいて前記制限電流を補正することを特徴とする請求項３を引用する請求項４に記載の電動車両。
【請求項６】
回生走行の発生、又は、予め定められた第１負荷よりも負荷の大きい高負荷走行の発生を予測する走行予測部を更に備え、
前記スイッチ制御部は、
予測された前記回生走行又は予測された前記高負荷走行の期間を避けて、前記スイッチ部を並列接続に切替えることを特徴とする請求項１から請求項５のいずれか一項に記載の電動車両。
【請求項７】
前記バッテリの前記状態情報には前記バッテリの充電率と劣化度の情報が含まれ、
前記搭載部に搭載される積み増しバッテリの前記状態情報には前記積み増しバッテリの充電率と劣化度の情報が含まれることを特徴とする請求項１から請求項６のいずれか一項に記載の電動車両。
【請求項８】
前記搭載部は、前記搭載部に積み増しバッテリが搭載されたときに前記積み増しバッテリの電極と接続される接続電極を有し、
前記スイッチ部は、前記バッテリの電極と前記接続電極との間の電気的な接続を切り替える複数のリレーを含むことを特徴とする請求項１から請求項７のいずれか一項に記載の電動車両。
【発明の詳細な説明】
【技術分野】
【０００１】
本発明は、電動車両に関する。
【背景技術】
【０００２】
以前より、ＨＥＶ（Hybrid Electric Vehicle）又はＥＶ（Electric Vehicle）などの電動車両において、オプションとして追加バッテリが搭載可能な構成が提案されている。特許文献１の図４には、このような電動車両において、基準バッテリと追加バッテリとがコンバータを介して直列接続と並列接続とに切替え可能な構成が示されている。さらに、特許文献１には、走行距離を増大する目的が想定される場合に追加バッテリを並列接続することをユーザに示唆し、モータ出力を増大する目的が想定される場合に追加バッテリを直列接続することをユーザに示唆することが示されている。
【０００３】
特許文献２には、第１蓄電ユニットと第２蓄電ユニットとを有し、これらを並列接続と直列接続とに切替え可能な電力供給装置が示されている。さらに、特許文献２の段落００３４には、第１蓄電ユニットの充電率と第２蓄電ユニットの充電率にバラツキが生じるたびに、第１蓄電ユニットと第２蓄電ユニットとを並列接続することが示されている。並列接続に切り替えることで両者の充電率の差が低減し、直列接続したときに第１蓄電ユニットと第２蓄電ユニットとから最大供給電力が出力可能となる。
【先行技術文献】
【特許文献】
【０００４】
【特許文献１】特開２０１０−００６０９３号公報
【特許文献２】特開２０１０−０５７２８８号公報
【発明の概要】
【発明が解決しようとする課題】
【０００５】
本発明者らは、例えばサービスエリア又はサービステーションなどに、充電済みのバッテリを用意しておき、電動車両のユーザが航続距離を延ばしたい場合に、用意されたバッテリを電動車両に積み増すことのできるサービス形態について検討している。
【０００６】
このようなサービス形態では、積み増しされるバッテリと、元々電動車両に備わるバッテリとで、電気容量などの仕様と、充電率及び劣化度等の電池状態とが、積み増しの都度に異なることが想定される。このようなバッテリが積み増しされる場合、上記従来の複数のバッテリを有する電力供給装置と同様の制御を行っていたのでは、元々備わるバッテリの電力と積み増したバッテリの電力とを有効に利用することは難しい。
【０００７】
本発明は、元々備わるバッテリと積み増しするバッテリとで仕様又は電池状態に大きな差があっても、両方のバッテリの電力を有効に利用できる電動車両を提供することを目的とする。
【課題を解決するための手段】
【０００８】
請求項１記載の発明は、
走行用の電力を供給するバッテリと、
走行用の電力を供給する積み増しバッテリを着脱可能に搭載可能な搭載部と、
前記搭載部に搭載された積み増しバッテリと前記バッテリとを直列接続と並列接続とに切り替えるスイッチ部と、
前記バッテリの状態情報と前記搭載部に搭載された積み増しバッテリの状態情報とに基づいて前記スイッチ部を制御するスイッチ制御部と、
を備えることを特徴とする電動車両である。
【０００９】
請求項２記載の発明は、請求項１記載の電動車両において、
前記スイッチ制御部は、
前記バッテリの端子間電圧と前記搭載部に搭載された積み増しバッテリの端子間電圧との差電圧の値を取得し、前記バッテリの状態情報と、前記搭載部に搭載された積み増しバッテリの状態情報と、前記差電圧とに基づいて前記スイッチ部を制御することを特徴とする。
【００１０】
請求項３記載の発明は、請求項２記載の電動車両において、
前記スイッチ制御部は、
前記バッテリと前記搭載部に搭載された積み増しバッテリとが並列接続されたときに前記バッテリ又は前記積み増しバッテリに流れる電流が制限電流を超えない前記差電圧の閾値を計算する閾値計算部を含み、
前記差電圧と前記閾値との比較に基づいて前記スイッチ部を並列接続に切り替えることを特徴とする。
【００１１】
請求項４記載の発明は、請求項２又は請求項３に記載の電動車両において、
前記バッテリの電流又は前記搭載部に搭載された積み増しバッテリの電流を流す部品の温度を検出する温度センサを更に備え、
前記スイッチ制御部は、前記バッテリの状態情報と、前記搭載部に搭載された積み増しバッテリの状態情報と、前記差電圧と、前記部品の温度とに基づいて前記スイッチ部を制御することを特徴とする。
【００１２】
請求項５記載の発明は、請求項３を引用する請求項４に記載の電動車両において、
前記スイッチ制御部は、
前記部品の温度に基づいて前記制限電流を補正することを特徴とする。
【００１３】
請求項６記載の発明は、請求項１から請求項５のいずれか一項に記載の電動車両において、
回生走行の発生、又は、予め定められた第１負荷よりも負荷の大きい高負荷走行の発生を予測する走行予測部を更に備え、
前記スイッチ制御部は、
予測された前記回生走行又は予測された前記高負荷走行の期間を避けて、前記スイッチ部を並列接続に切替えることを特徴とする。
【００１４】
請求項７記載の発明は、請求項１から請求項６のいずれか一項に記載の電動車両において、
前記バッテリの前記状態情報には前記バッテリの充電率と劣化度の情報が含まれ、
前記搭載部に搭載される積み増しバッテリの前記状態情報には前記積み増しバッテリの充電率と劣化度の情報が含まれることを特徴とする。
【００１５】
請求項８記載の発明は、請求項１から請求項７のいずれか一項に記載の電動車両において、
前記搭載部は、前記搭載部に積み増しバッテリが搭載されたときに前記積み増しバッテリの電極と接続される接続電極を有し、
前記スイッチ部は、前記バッテリの電極と前記接続電極との間の電気的な接続を切り替える複数のリレーを含むことを特徴とする。
【発明の効果】
【００１６】
本発明によれば、元々備わるバッテリと積み増しバッテリとで仕様又は電池状態に大きな差があっても、両方の電力を有効に利用できるという効果が得られる。
【図面の簡単な説明】
【００１７】
【図１】本発明の実施形態に係る電動車両の要部を示すブロック図である。
【図２】スイッチ制御部が実行するパラメータ計算処理の手順を示すフローチャートである。
【図３】スイッチ制御部が実行するスイッチ制御処理の手順を示すフローチャートである。
【図４】実施形態のスイッチ制御を説明する第１グラフ（Ａ）及び第２グラフ（Ｂ）である。
【図５】比較例１のスイッチ制御を説明するグラフである。
【図６】比較例２のスイッチ制御を説明するグラフである。
【図７】比較例３のスイッチ制御を説明する第１グラフ（Ａ）及び第２グラフ（Ｂ）である。
【図８】直列接続から並列接続へ切り替える際の電池電流を説明する図であり、図８（Ａ）は力行時を示す図、図８（Ｂ）は回生時を示す図である。
【発明を実施するための形態】
【００１８】
以下、本発明の実施形態について図面を参照して詳細に説明する。図１は、本発明の実施形態に係る電動車両の要部を示すブロック図である。
【００１９】
本発明の実施形態に係る電動車両１は、例えばＥＶ等であり、走行モータ１１、インバータ１２、固定バッテリ１３、車両制御部１４、バッテリ管理部１５及びナビゲーションシステム１６を備える。さらに、電動車両１は、バッテリ搭載部２０、スイッチ部３０及びスイッチ制御部４０を備える。固定バッテリ１３は、本発明に係るバッテリの一例に相当する。バッテリ搭載部２０は、本発明に係る搭載部の一例に相当する。
【００２０】
走行モータ１１は、力行時、走行用の動力を発生し、図示しない電動車両１の駆動輪を駆動する。力行時、インバータ１２は、直流電力を交流電力に変換して走行モータ１１へ出力し、走行モータ１１を駆動する。一方、回生時、走行モータ１１は、電動車両１の駆動輪を制動し、制動エネルギーを回生電力に変換する。回生時、インバータ１２は、走行モータ１１から受けた回生電力を直流電力に変換して上流へ戻す。車両制御部１４は、図示しない操作部（操舵ハンドル、アクセルペダル、ブレーキペダル及びシフトレバー等）の操作に基づいてインバータ１２を制御し、これにより運転者の操作に応じた走行が実現される。
【００２１】
固定バッテリ１３は、例えばリチウムイオン二次電池、ニッケル水素二次電池などであり、走行用の電力を蓄積する。固定バッテリ１３は、高電圧バッテリと呼んでもよい。固定バッテリ１３には、電池温度、端子間電圧、電流等を検出する状態センサ１３ａが付加されている。検出される端子間電圧には、開放端電圧（開放時測定電圧とも言う）、放電電圧（放電時測定電圧とも言う）又はこれら両方が含まれる。固定バッテリ１３は、当初から電動車両１に組み付けられているバッテリである。固定バッテリ１３には、メーカ工場又はディーラー工場でオプションとして増設される増設バッテリが含まれていてもよい。
【００２２】
バッテリ搭載部２０は、積み増しバッテリ２３が着脱可能に搭載可能なユニットである。バッテリ搭載部２０には、積み増しバッテリ２３が搭載されたときに、積み増しバッテリ２３の電極（陽極と陰極）及び状態センサ２３ａの出力端子がそれぞれ接続される接続電極２１ａ、２１ｂ、２２が設けられている。
【００２３】
積み増しバッテリ２３は、例えばリチウムイオン二次電池、ニッケル水素二次電池などであり、走行用の電力を蓄積する。積み増しバッテリ２３は、積み増し用の高電圧バッテリと呼んでもよい。積み増しバッテリ２３には、電池温度、端子間電圧、電流等を検出する状態センサ２３ａが付加されている。検出される端子間電圧には、開放端電圧、放電電圧又はこれら両方が含まれる。積み増しバッテリ２３は、例えばユーザ、サービスエリアのサービス員又はサービスステーションのサービス員が、電動車両１のバッテリ搭載部２０に着脱可能なバッテリである。積み増しバッテリ２３は、例えば、充電された状態で、高速道路のサービスエリア又はサービスステーション等に用意され、電動車両１のユーザの要求に基づき、バッテリ搭載部２０に積み増しされる。
【００２４】
スイッチ部３０は、積み増しバッテリ２３が搭載された場合に、固定バッテリ１３と積み増しバッテリ２３との接続を、直列接続と並列接続とに切替え可能である。スイッチ部３０は、固定バッテリ１３の電極（陽極と陰極）と、バッテリ搭載部２０の接続電極２１ａ、２１ｂとの電気的な接続を切り替える複数のリレーＡ１〜Ａ３を備える。リレーＡ１〜Ａ３は、次のように切り替えられる。例えば、積み増しバッテリ２３が非搭載の場合、リレーＡ１は閉にされて固定バッテリ１３とインバータ１２との間で電力伝送が可能となる。積み増しバッテリ２３が搭載された場合、リレーＡ１、Ａ２が閉でリレーＡ３が開にされることで、固定バッテリ１３と積み増しバッテリ２３とが並列接続され、これらとインバータ１２との間で電力伝送が可能となる。さらに、リレーＡ１、Ａ２が開でリレーＡ３が閉にされることで、固定バッテリ１３と積み増しバッテリ２３とが直列接続され、これらとインバータ１２との間で電力伝送が可能となる。以下、上記の並列接続の状態と直列接続の状態とを、スイッチ部３０の接続モードと呼ぶ。
【００２５】
バッテリ管理部１５は、固定バッテリ１３の状態センサ１３ａから、固定バッテリ１３の電池温度、端子間電圧、電流等の検出信号を受ける。さらに、積み増しバッテリ２３が搭載される場合、バッテリ管理部１５は、バッテリ搭載部２０の接続電極２２を介して、積み増しバッテリ２３の状態センサ２３ａから、積み増しバッテリ２３の電池温度、端子間電圧、電流等の検出信号を受ける。バッテリ管理部１５は、これらの検出信号に基づいて、固定バッテリ１３の電池状態及び搭載された積み増しバッテリ２３の電池状態を計算し、管理する。各々の電池状態には、電池温度、端子間電圧、充電率を示すＳＯＣ（State of Charge）、放電可能電力、充電可能電力、劣化度（内部抵抗等）などが含まれる。
【００２６】
バッテリ管理部１５は、車両制御部１４と通信を行って、インバータ１２が伝送する力行時又は回生時の電力が最大出力電力又は最大入力電力を超えないよう、調整を行う。
【００２７】
ナビゲーションシステム１６は、測位装置、交通情報受信装置、ユーザの操作を入力する入力装置及び表示装置を備える。ナビゲーションシステム１６は、ユーザが入力した行先情報に基づいて走行ルートを求め、表示装置を介してユーザに走行ルート情報を提供する。
【００２８】
スイッチ制御部４０は、スイッチ部３０の接続モードを並列接続と直列接続とに切り替える制御処理を行う。スイッチ制御部４０は、ＣＰＵ（Central Processing Unit）と、ＣＰＵが実行する制御プログラムを格納したＲＯＭ（Read Only Memory）と、信号を入出力するＩ／Ｏとを備えた、ＥＣＵ（Electronic Control Unit）である。スイッチ制御部４０においては、ＣＰＵが制御プログラムを実行することで各種の機能モジュールが実現される。制御モジュールには、リレー駆動制御部４１、制限電流計算部４２、閾値計算部４３及び走行予測部４４が含まれる。
【００２９】
スイッチ制御部４０は、バッテリ管理部１５から、スイッチ部３０の切替え制御に使用される固定バッテリ１３の状態情報と積み増しバッテリ２３の状態情報とを受ける。固定バッテリ１３の状態情報及び積み増しバッテリ２３の状態情報には、各々の端子間電圧（開放端電圧、放電電圧又はこれら両方）、ＳＯＣ、内部抵抗及び電池温度などが含まれる。なお、これらの状態情報は、バッテリ管理部１５を介さずに、固定バッテリ１３の状態センサ１３ａ、及び、積み増しバッテリ２３の状態センサ２３ａから、スイッチ制御部４０へ直接に送られてもよい。この場合、状態センサ１３ａ、２３ａが、ＳＯＣと、内部抵抗などの劣化度の情報と、を計算する構成としてもよい。
【００３０】
スイッチ制御部４０は、さらに、１個又は複数の温度センサ３５から、固定バッテリ１３及び積み増しバッテリ２３の電流が流れる回路の１個又は複数の発熱部品の温度を示す信号を受ける。例えばスイッチ部３０の電力線及びリレーＡ１〜Ａ３などが発熱部品に相当する。
【００３１】
スイッチ制御部４０は、さらに、ナビゲーションシステム１６から、走行ルート情報及び現在位置情報を受信する。
【００３２】
スイッチ制御部４０は、固定バッテリ１３の状態情報と、バッテリ搭載部２０に搭載された積み増しバッテリ２３の状態情報とに基づいて、スイッチ部３０の切替え制御を行う。より具体的には、スイッチ制御部４０は、固定バッテリ１３の端子間電圧と積み増しバッテリ２３の端子間電圧との差である差電圧と、上記の状態情報から計算される閾値との比較に基づいて、スイッチ部３０の切替え制御を行う。
【００３３】
詳細は後述するが、スイッチ制御部４０は、次のような原理に基づいて切替え制御を行う。ここでは、固定バッテリ１３と積み増しバッテリ２３とを、それぞれ単に「バッテリ」と呼ぶ。
【００３４】
一般に、ＳＯＣが低下するとバッテリの端子間電圧は低下する。２つのバッテリの電気容量が異なる場合、あるいは当初のＳＯＣが異なる場合、２つのバッテリが直列接続されて電力の消費が進むと、２つのバッテリのＳＯＣの変化に伴い、２つのバッテリの端子間電圧の差が大きくなる。端子間電圧に差がある状態で、接続モードを並列接続に切り替えると、端子間電圧の高いバッテリから低いバッテリへ電流が流れ、両方のバッテリのＳＯＣが均衡する。端子間電圧の差が小さいと、この電流は小さく、端子間電圧の差が大きいと、この電流は大きくなる。以下、２つのバッテリの端子間電圧の差を「差電圧」と呼ぶ。
【００３５】
仮に、差電圧が小さいときに、接続モードを並列接続に切り替え、ＳＯＣが均衡したら接続モードを直列接続に切り替える制御を適用した場合、直列接続に切替えてから短時間に差電圧が並列接続に切り替える大きさに達してしまう。このため、接続モードの切り替え回数が増大し、リレーＡ１〜Ａ３の劣化が早まるという課題が生じる。一方、切替え回数を削減するために、差電圧を考慮せずに、接続モードの直列接続と並列接続とを切り替えた場合、差電圧が非常に大きいときに、接続モードが並列接続に切り替わるような状況が生じてしまう。このような場合、並列接続への切り替わり時に２つのバッテリ間に流れる電流が大きくなって、一方又は両方のバッテリの出力電流又は入力電流が、制限電流を超える恐れが生じる。
【００３６】
そこで、スイッチ制御部４０は、バッテリの電流が制限電流を超えない差電圧の閾値を計算し、差電圧と閾値とを比較してスイッチ部３０の接続モードを切り替える。これにより、並列接続への切替え時に、バッテリの電流が制限電流を超えることを抑制しつつ、スイッチ部３０の切り替え回数の増大を抑制することができる。上記の制限電流及び差電圧の閾値は、次のように求められる。
【００３７】
一般に、バッテリは、超過できない上限電圧と下限電圧とを有する。バッテリから電流が出力されると、この電流が内部抵抗を通ることで電圧降下が生じ、バッテリの端子間電圧が低下する。同様に、バッテリに電流が入力されると、この電流が内部抵抗を通ることで電圧降下が生じ、バッテリの端子間電圧が上昇する。このため、スイッチ制御部４０は、これらの端子間電圧が、上限電圧と下限電圧とを超えないように、バッテリの開放端電圧と内部抵抗とに基づいて制限電流を計算できる。
【００３８】
さらに、２つのバッテリを並列接続への切り替える際、負荷との間で流れる電流がゼロである場合、２つのバッテリの内部抵抗と２つのバッテリの差電圧とから、２つのバッテリの間で流れる電流が決まる。負荷との間で流れる電流があれば、この電流を加味することで２つのバッテリに流れる電流を求めることができる。このため、スイッチ制御部４０は、これらの電流が制限電流となる差電圧を求め、これに余裕分αを差し引いて、上記の閾値を計算する。
【００３９】
さらに、バッテリには、上記の制限電流とは別に、安全に流すことのできる許容電流が予め定められている。また、バッテリに流れる電流は、リレー及び電力線などの電気部品を介して流れ、電気部品を発熱させるため、電気部品の温度が制限温度に近いときには、電流を制限する必要がある。このため、スイッチ制御部４０は、バッテリの許容電流と、電気部品の温度に応じて、上記のように計算された制限電流を修正又は補正する処理を行う。
【００４０】
なお、接続モードを直列接続から並列接続に切り替える際、バッテリに流れる電流は、２つのバッテリ間に流れる電流に加えて、負荷（インバータ１２）へ供給される力行電流又は、負荷から戻される回生電流を含む。そして、これらの電流が大きく変動するときには、バッテリに流れる電流を予測しにくい。したがって、スイッチ制御部４０は、力行電流又は回生電流が大きくなる走行を予測し、このような走行が行われる場合を避けて接続モードを並列接続に切り替える制御を行う。
【００４１】
続いて、このような接続モードの切り替えを実現するパラメータ計算処理とスイッチ制御処理の一例について詳細に説明する。
【００４２】
＜パラメータ計算処理＞
図２は、スイッチ制御部が実行するパラメータ計算処理の手順を示すフローチャートである。パラメータ計算処理は、積み増しバッテリ２３が搭載された電動車両１の走行中、例えば所定期間ごとに繰り返し実行される。パラメータ計算処理は、主に、制限電流計算部４２と閾値計算部４３により実行される
【００４３】
パラメータ計算処理が開始されると、先ず、制限電流計算部４２は、現在の電池温度に応じた、固定バッテリ１３及び積み増しバッテリ２３の上限電圧Ｖｍａｘと下限電圧Ｖｍｉｎとを取得する（ステップＳ１）。例えば、制限電流計算部４２は、電池温度ごとの上限電圧及び下限電圧が示されたデータテーブルを予め記憶し、バッテリ管理部１５から送られた各電池温度の情報に基づき、データテーブルを参照して、電池温度に対応する上限電圧と下限電圧とを取得する。
【００４４】
次に、制限電流計算部４２は、固定バッテリ１３と積み増しバッテリ２３の各々について、現在の端子間電圧Ｖｏと、内部抵抗Ｒｉとから、下限電圧Ｖｍｉｎを下回る制限放電電流Ｉｏｕｔ＿ｌｉｍｉｔを計算する（ステップＳ２）。端子間電圧Ｖｏ及び内部抵抗Ｒｉの情報は、バッテリ管理部１５から送られる。ここで、制限電流計算部４２は、例えば、端子間電圧Ｖｏから、制限放電電流Ｉｏｕｔ＿ｌｉｍｉｔと内部抵抗Ｒｉとによる降下電圧を差し引いた電圧が、下限電圧Ｖｍｉｎとなる電流を、制限放電電流Ｉｏｕｔ＿ｌｉｍｉｔとして求めればよい。
【００４５】
次に、制限電流計算部４２は、現在の端子間電圧Ｖｏと、内部抵抗Ｒｉとから、上限電圧Ｖｍａｘを上回る制限充電電流Ｉｉｎ＿ｌｉｍｉｔを計算する（ステップＳ３）。端子間電圧Ｖｏ及び内部抵抗Ｒｉの情報は、バッテリ管理部１５から送られる。ここで、制限電流計算部４２は、例えば、端子間電圧Ｖｏに、制限充電電流Ｉｉｎ＿ｌｉｍｉｔと内部抵抗Ｒｉとによる降下電圧を加えた電圧が、上限電圧Ｖｍａｘとなる電流を、制限充電電流Ｉｉｎ＿ｌｉｍｉｔとして求めればよい。制限電流計算部４２は、これらの計算を、固定バッテリ１３と積み増しバッテリ２３の各々について行う。
【００４６】
次に、制限電流計算部４２は、計算された制限放電電流Ｉｏｕｔ＿ｌｉｍｉｔと予め定められた許容電流Ｉｍａｘとを比較する（ステップＳ４）。許容電流Ｉｍａｘは、例えばバッテリの仕様に定められた瞬時の最大許容電流であり、短い時間に安全に流すことができる電流を表わす。許容電流Ｉｍａｘが電池温度により変化する場合、制限電流計算部４２は、予め記憶したデータテーブルを用いて電池温度に対応する許容電流Ｉｍａｘを取得すればよい。比較の結果、制限放電電流Ｉｏｕｔ＿ｌｉｍｉｔが許容電流Ｉｍａｘを上回っていれば、制限電流計算部４２は、制限放電電流Ｉｏｕｔ＿ｌｉｍｉｔの値を、許容電流Ｉｍａｘの値に修正する（ステップＳ５）。
【００４７】
ステップＳ４の判別の結果がＮＯの場合、あるいは、この結果がＹＥＳでステップＳ５の修正を行ったら、続いて、制限電流計測部４２は、計算された制限充電電流Ｉｉｎ＿ｌｉｍｉｔと予め定められた許容電流Ｉｍａｘとを比較する（ステップＳ６）。比較の結果、制限充電電流Ｉｉｎ＿ｌｉｍｉｔが許容電流Ｉｍａｘを上回っていれば、制限電流計算部４２は、制限充電電流Ｉｉｎ＿ｌｉｍｉｔの値を、許容電流Ｉｍａｘの値に修正する（ステップＳ７）。制限電流計算部４２は、ステップＳ４〜Ｓ７の比較及び修正の処理を、固定バッテリ１３と積み増しバッテリ２３の各々について行う。通常では、許容電流Ｉｍａｘは、ステップＳ２、Ｓ３で計算された制限放電電流Ｉｏｕｔ＿ｌｉｍｉｔ及び制限充電電流Ｉｉｎ＿ｌｉｍｉｔよりも大きく、ステップＳ４、Ｓ６の比較結果はＮＯとなる。
【００４８】
続いて、制限電流計算部４２は、温度センサ３５により検出された部品温度に基づき、制限放電電流Ｉｏｕｔ＿ｌｉｍｉｔの値と制限充電電流Ｉｉｎ＿ｌｉｍｉｔの値とを補正する（ステップＳ８）。具体的には、部品温度が所定の閾値よりも高い場合、これら部品に流せる電流が制限される。この場合、制限電流計算部４２は、制限放電電流Ｉｏｕｔ＿ｌｉｍｉｔの値と制限充電電流Ｉｉｎ＿ｌｉｍｉｔの値を、部品に流せる電流値に対応させて補正前の値よりも低い値に補正する。
【００４９】
制限放電電流Ｉｏｕｔ＿ｌｉｍｉｔと制限充電電流Ｉｉｎ＿ｌｉｍｉｔとが求められたら、閾値計算部４３は、これらに基づいて、接続モードを直列接続から並列接続に切り替える際の差電圧の閾値ΔＶｔｈを計算する（ステップＳ９）。差電圧とは、前述のように、固定バッテリ１３の端子間電圧と、積み増しバッテリ２３の端子間電圧との差を意味する。ステップＳ９では、閾値計算部４３は、例えば、現在の差電圧から、接続モードを並列接続した場合に流れる電流の向きを求める。さらに、閾値計算部４３は、固定バッテリ１３と積み増しバッテリ２３の各々について、電流の向きに対応した制限放電電流Ｉｏｕｔ＿ｌｉｍｉｔ又は制限充電電流Ｉｉｎ＿ｌｉｍｉｔを抽出する。例えば、固定バッテリ１３の端子間電圧が、積み増しバッテリ２３の端子間電圧よりも小さければ、並列接続に切替えたときに、積み増しバッテリ２３から固定バッテリ１３に電流が流れる。この場合、閾値計算部４３は、この電流の向きに対応した、積み増しバッテリ２３の制限放電電流Ｉｏｕｔ＿ｌｉｍｉｔと、固定バッテリ１３の制限充電電流Ｉｉｎ＿ｌｉｍｉｔとを抽出する。さらに、閾値計算部４３は、抽出した制限放電電流Ｉｏｕｔ＿ｌｉｍｉｔと制限充電電流Ｉｉｎ＿ｌｉｍｉｔとのうち、値の小さい方を、総合的な制限電流Ｉ＿ｌｉｍｉｔとする。そして、閾値計算部４３は、接続モードを並列接続に切替えたときに制限電流Ｉ＿ｌｉｍｉｔが流れる差電圧ΔＶ＿ｌｉｍｉｔに余裕分αを減じた値ΔＶ＿ｌｉｍｉｔ−αを、差電圧の閾値ΔＶｔｈとして計算する。接続モードを並列接続に切り替える際、所定量以下の力行電流又は回生電流を許容する場合には、これら許容された力行電流又は回生電流が加わっても、制限電流Ｉ＿ｌｉｍｉｔを超えないように、余裕分αの値が採用されて、閾値ΔＶｔｈが計算される。
【００５０】
＜スイッチ制御処理＞
図３は、スイッチ制御部が実行するスイッチ制御処理の手順を示すフローチャートである。スイッチ制御処理は、積み増しバッテリ２３が搭載された電動車両１の走行中に継続的に実行される。スイッチ制御処理は、主に、リレー駆動制御部４１及び走行予測部４４により実行される。
【００５１】
スイッチ制御処理が開始されると、先ず、リレー駆動制御部４１は、現在の固定バッテリ１３の端子間電圧と、現在の積み増しバッテリ２３の端子間電圧とから、これらの差電圧を取得する（ステップＳ１１）。これらの端子間電圧は、バッテリ管理部１５から送られる。
【００５２】
次に、リレー駆動制御部４１は、現在のスイッチ部３０の接続モードを確認し（ステップＳ１２）、並列接続であれば、処理をステップＳ１３へ進める一方、直列接続であれば、処理をステップＳ１５へ分岐させる。
【００５３】
その結果、並列接続であれば、リレー駆動制御部４１は、差電圧の絶対値がほぼゼロになったか判別する（ステップＳ１３）。図３のステップＳ１３において「ε」は小さい値を示す。判別の結果、ＹＥＳであれば、リレー駆動制御部４１は、スイッチ部３０のリレーＡ１〜Ａ３に駆動信号を出力し、接続モードを直列接続に切り替える（ステップＳ１４）。一方、ＮＯであれば、そのまま、処理がステップＳ１１に戻される。
【００５４】
ステップＳ１２の分岐処理で直列接続と判別されると、リレー駆動制御部４１は、差電圧が、パラメータ計算処理のステップＳ９で計算された閾値ΔＶｔｈよりも大きいか判別する（ステップＳ１５）。その結果、大きければ、リレー駆動制御部４１は、走行予測部４４の予測結果に基づき、現在から所定期間に、高負荷走行又は回生走行の予測があるか否かを判別する（ステップＳ１６）。高負荷走行とは、予め定められた第１負荷よりも負荷の大きい走行を示す。例えば、走行予測部４４は、ナビゲーションシステム１６の情報に基づき、例えば急な登り坂の走行、一般道路から高速道路への進入などが予測される場合、これらを高負荷走行と予測し、予測結果をリレー駆動制御部４１へ伝える。また、走行予測部４４は、ナビゲーションシステム１６の情報に基づき、例えば急な下り坂の走行、高速道路から一般道路へ下りる走行などが予測される場合、これらを回生走行と予測し、予測結果をリレー駆動制御部４１へ伝える。リレー駆動制御部４１は、これらの予測結果に基づきステップＳ１６の判別処理を実行する。ステップＳ１６の作用については、後に図８（Ａ）及び図８（Ｂ）を参照して詳述する。
【００５５】
ステップＳ１６の判別処理でＮＯと判別されると、リレー駆動制御部４１は、スイッチ部３０のリレーＡ１〜Ａ３に駆動信号を出力し、接続モードを並列接続に切り替える（ステップＳ１８）。一方、ステップＳ１５の判別結果がＮＯ、あるいは、ステップＳ１６の判別結果がＹＥＳであれば、処理がステップＳ１１に戻される。そして、リレー駆動制御部４１は、ステップＳ１１からの処理を繰り返す。
【００５６】
＜スイッチ制御によるＳＯＣ及び電池電流の変化例＞
図４は、実施形態のスイッチ制御を説明する第１グラフ（Ａ）及び第２グラフ（Ｂ）である。第１グラフ及び第２グラフは、同一の走行中における同一のスイッチ制御の例を示す。第１グラフは走行距離に対する固定バッテリ１３と積み増しバッテリ２３のＳＯＣの変化を示し、第２グラフは固定バッテリ１３と積み増しバッテリ２３の電池電流の変化を示す。
【００５７】
上述したパラメータ計算処理及びスイッチ制御処理に従うと、図４（Ａ）及び図４（Ｂ）に示すように、主に、固定バッテリ１３と積み増しバッテリ２３とが直列接続されてインバータ１２へ電力が供給される。直列接続されることで、インバータ１２への出力電圧が上昇し、同じ電力を出力する場合でも出力電流を小さくできる。出力電流が小さくなることで、電流が流れる電力線及び閉状態のリレーにおける損失が小さくなり、電力伝送の効率が向上する。
【００５８】
接続モードが直列接続にされ、走行距離が延びると、それに伴い、固定バッテリ１３と積み増しバッテリ２３とのＳＯＣの差が広がり、両者の差電圧が大きくなる。そして、この差電圧が閾値に達すると、接続モードが並列接続に切替えられる（タイミングｔ１〜ｔ５）。図４（Ｂ）に示すように、差電圧が有る状態で並列接続に切替えられると、固定バッテリ１３と積み増しバッテリ２３との間に電流が流れる。しかし、差電圧の閾値ΔＶｔｈが適切に計算されているため、並列接続への切替え時に、固定バッテリ１３の電流及び積み増しバッテリ２３の電流が制限電流を超えてしまうことが抑制される。
【００５９】
そして、接続モードが並列接続に切替えられてＳＯＣの均衡が図られると、再び、接続モードが直列接続に切替えられて、高効率な電力供給が実現される。
【００６０】
これにより、固定バッテリ１３に蓄積された電力と積み増しバッテリ２３に蓄積された電力とが有効にかつ効率的に利用され、電動車両１の航続距離を延ばすことができる。
【００６１】
＜スイッチ制御の比較例１＞
図５は、比較例１のスイッチ制御を説明するグラフである。比較例１は、固定バッテリ１３と積み増しバッテリ２３とを直列接続のみとした例である。比較例１のスイッチ制御では、例えば、固定バッテリ１３と積み増しバッテリ２３の電気容量に違いがあると、当初のＳＯＣが等しい場合でも、走行距離が延びるのに従って、固定バッテリ１３と積み増しバッテリ２３のＳＯＣの差が広がる。そして、一方（例えば積み増しバッテリ２３）の電力が先に尽きてしまう。この場合、他方（例えば固定バッテリ１３）が蓄積している電力が残った状態で、走行モータ１１を駆動できなくなる。すなわち、蓄積した電力を有効に使えず、航続距離が短くなる。
【００６２】
＜スイッチ制御の比較例２＞
図６は、比較例２のスイッチ制御を説明するグラフである。比較例２は、例えば固定バッテリ１３と積み増しバッテリ２３とのＳＯＣの差が所定値を超えたときのみ、接続モードを並列接続に切り替える制御例である。比較例２のスイッチ制御では、固定バッテリ１３の電力と積み増しバッテリ２３の電力とを使い切ることができる。しかし、スイッチ部３０の切替え回数が増大し、リレーＡ１〜Ａ３の劣化を早め、リレーＡ１〜Ａ３が短い期間で寿命に至ってしまう。
【００６３】
＜スイッチ制御の比較例３＞
図７は、比較例３のスイッチ制御を説明する第１グラフ（Ａ）及び第２グラフ（Ｂ）である。比較例３は、固定バッテリ１３と積み増しバッテリ２３の電力を使い切れるように、かつ、スイッチ部３０の切替え回数が最小になるように制御した例である。比較例３のスイッチ制御では、固定バッテリ１３と積み増しバッテリ２３の電力の使い切りが可能であり、しかもリレーＡ１〜Ａ３の劣化を抑制できる。しかし、接続モードを直列接続から並列接続に切り替える際に、固定バッテリ１３と積み増しバッテリ２３との差電圧が非常に大きい状況が生じえる。このような場合、参照部Ｃ１に示すように、固定バッテリ１３、積み増しバッテリ２３又はこれら両方に、制限電流を超えた電流が流れてしまう。
【００６４】
本実施形態のスイッチ制御によれば、比較例１〜比較例３に示した問題を抑制しつつ、航続距離の増大と電力効率の向上とを図ることができる。
【００６５】
＜高負荷走行時又は回生走行時のスイッチ制御＞
図８は、直列接続から並列接続へ切り替える際の電池電流を説明する図であり、図８（Ａ）は力行時を示す図、図８（Ｂ）は回生時を示す図である。ここでは、図３のステップＳ１６の作用について説明する。
【００６６】
固定バッテリ１３と積み増しバッテリ２３とが並列接続されているとき、各部の電流Ｉ１、Ｉ２、Ｉ３は、固定バッテリ１３の開放端電圧Ｅ１及び内部抵抗Ｒｉ１、積み増しバッテリ２３の開放端電圧Ｅ２及び内部抵抗Ｒｉ２、並びに、負荷Ｒ０に応じて決定される。
【００６７】
一方、負荷Ｒ０に流れる電流Ｉ３が小さければ、固定バッテリ１３の電流Ｉ１と積み増しバッテリ２３の電流Ｉ２とは、開放端電圧Ｅ１、Ｅ２と内部抵抗Ｒｉ１、Ｒｉ２とから予測できる。そして、この法則を利用することで、スイッチ制御部４０の閾値計算部４３は、電流Ｉ１、Ｉ２が制限電流を超えない差電圧の閾値ΔＶｔｈを計算している。
【００６８】
このため、図８（Ａ）のように高負荷走行時に負荷Ｒ０に流れる電流Ｉ３が大きくなったり、図８（Ｂ）のように回生走行時に負荷Ｒ０に比較的に大きな回生電流Ｉ３が流れたりすると、電流Ｉ３の影響により、電流Ｉ１、Ｉ２が予測値から大きく逸脱する。例えば、固定バッテリ１３の電圧Ｅ１が積み増しバッテリ２３の電圧Ｅ２より大きいとき、高負荷走行時には固定バッテリ１３の放電電流Ｉ１が大きくなり、回生走行時には積み増しバッテリ２３の充電電流Ｉ２が大きくなる。
【００６９】
このような理由から、本実施形態のスイッチ制御部４０は、走行予測部４４が走行予測を行い、図３のステップＳ１６の判別処理により、高負荷走行又は回生走行の予測がある場合には、この期間を避けて、並列接続への切替えを行っている。このような制御により、接続モードを並列接続へ切り替える際、固定バッテリ１３又は積み増しバッテリ２３に予期しない大きな電流が流れることが抑制される。
【００７０】
なお、固定バッテリ１３及び積み増しバッテリ２３の電力を、例えば空調装置などの他の装置に使用している構成を想定できる。このような構成では、他の装置に大きな電力が出力されていると、上述した高負荷走行時と同様に、接続モードを並列接続に切り替えた際に、電流Ｉ１又は電流Ｉ２が大きくなる場合がある。したがって、このような構成では、接続モードを並列接続へ切り替える際に、空調装置を停止するなど他の装置への電力供給を停止する制御を併用し、電流Ｉ１又は電流Ｉ２が制限電流を超えることを抑制してもよい。
【００７１】
以上のように、本実施形態の電動車両１によれば、積み増しバッテリを着脱可能なバッテリ搭載部２０を有し、スイッチ部３０が固定バッテリ１３と積み増しバッテリ２３とを直列又は並列に接続できる。したがって、例えば電動車両１の走行中に、ユーザが航続距離を延ばしたい場合に、サービスステーション又はサービスエリアなどで積み増しバッテリ２３を積み増しできる。これにより、長時間の充電を要さずに、電動車両１の航続距離を延ばすことができる。
【００７２】
さらに、バッテリ搭載部２０に積み増しバッテリ２３を搭載する場合、搭載の都度、電気容量及びＳＯＣなどが異なることが想定される。しかし、本実施形態の電動車両１によれば、固定バッテリ１３の状態情報と積み増しバッテリ２３の状態情報とに基づいて、スイッチ制御部４０がスイッチ部３０の接続モードを並列接続又は直列接続に切り替える。これにより、固定バッテリ１３の電池状態及び積み増しバッテリ２３の電池状態に応じた接続モードの切り替え制御が可能となる。例えば、接続モードの切り替え時に、固定バッテリ１３又は積み増しバッテリ２３に過大な電流が流れないように、かつ、スイッチ部３０の切替え回数が増大しないような制御が可能となる。
【００７３】
さらに、本実施形態の電動車両１によれば、スイッチ制御部４０は、固定バッテリ１３と積み増しバッテリ２３との差電圧を取得し、差電圧に基づいてスイッチ部３０の接続モードを切り替える。これにより、接続モードの切り替え時に、固定バッテリ１３又は積み増しバッテリ２３に過大な電流が流れないように、かつ、スイッチ部３０の切替え回数が増大しないような制御を容易に実現できる。
【００７４】
さらに、本実施形態の電動車両１によれば、接続モードが並列接続に切り替ったときに、固定バッテリ１３と積み増しバッテリ２３とに流れる電流が制限電流を超えない差電圧の閾値ΔＶｔｈを計算する。そして、リレー駆動制御部４１は、固定バッテリ１３と積み増しバッテリ２３との差電圧と、閾値ΔＶｔｈとの比較に基づいて接続モードを並列接続に切り替える。これにより、並列接続への切り替え時に、固定バッテリ１３と積み増しバッテリ２３との電流が制限電流を超えることが抑制され、かつ、制限電流を超過しない範囲で、スイッチ部３０の切替え回数の増大を抑制することができる。
【００７５】
さらに、本実施形態の電動車両１によれば、固定バッテリ１３又は積み増しバッテリ２３の電流を流す部品の温度を検出する温度センサ３５を有し、スイッチ制御部４０は、温度センサ３５が検出した温度を含めた情報に基づいて、スイッチ部３０を切り替える。これにより、部品の温度が高く、制限電流を抑える必要がある場合に、これに対応したスイッチ部３０の制御が可能となる。
【００７６】
具体的には、スイッチ制御部４０の制限電流計算部４２が、部品の温度に基づいて制限電流を補正し、閾値計算部４３が補正された制限電流に基づいて差電圧の閾値ΔＶｔｈを計算する。これにより、スイッチ部３０の接続モードを並列接続に切り替える際、部品の温度に応じた制限電流を超える電流が流れてしまうことを抑制できる。
【００７７】
さらに、本実施形態の電動車両１によれば、スイッチ制御部４０の走行予測部４４が、高負荷走行又は回生走行の発生を予測し、リレー駆動制御部４１が、これらの走行期間を避けて接続モードを並列接続に切り替える。したがって、走行モータ１１の力行電流又は回生電流により、並列接続への切り替え時に固定バッテリ１３又は積み増しバッテリ２３に流れる電流の予測が困難になる場合があっても、この期間を避けて、接続モードが切り替えられる。これにより、接続モードの切り替え時に、制限電流を超える電流が固定バッテリ１３又は積み増しバッテリ２３に流れてしまうことをより抑制できる。
【００７８】
以上、本発明の実施形態について説明した。しかし、本発明は上記実施形態に限られない。例えば、上記実施形態では、スイッチ制御部４０は、固定バッテリ１３の端子間電圧と積み増しバッテリ２３の端子間電圧とから差電圧を求めている。しかし、スイッチ制御部４０は、例えば固定バッテリ１３と積み増しバッテリ２３とのＳＯＣの値を端子間電圧に換算し、これらから差電圧を求めてもよいし、固定バッテリ１３と積み増しバッテリ２３とのＳＯＣの差を差電圧に換算してもよい。その他、実施形態で示した細部は、発明の趣旨を逸脱しない範囲で適宜変更可能である。
【符号の説明】
【００７９】
１  電動車両
１１  走行モータ
１２  インバータ
１３  固定バッテリ
１５  バッテリ管理部
１６  ナビゲーションシステム
２０  バッテリ搭載部
２３  積み増しバッテリ
３０  スイッチ部
３５  温度センサ
Ａ１〜Ａ３  リレー
４０  スイッチ制御部
４１  リレー駆動制御部
４２  制限電流計算部
４３  閾値計算部
４４  走行予測部
【図１】
2020043718.tif 000003
【図２】
2020043718.tif 000004
【図３】
2020043718.tif 000005
【図４】
2020043718.tif 000006
【図５】
2020043718.tif 000007
【図６】
2020043718.tif 000008
【図７】
2020043718.tif 000009
【図８】
2020043718.tif 000010